【手続補正書】
【提出日】平成17年11月24日(2005.11.24)
【手続補正１】
【補正対象書類名】特許請求の範囲
【補正対象項目名】全文
【補正方法】変更
【補正の内容】
【特許請求の範囲】
【請求項１】
第１の音声符号化方式に従って音声信号を符号化し、それによって、第２の音声符号化方式に従って音声信号を復号化できるようにする方法であって、前記音声信号が、活発な音声が存在する音声活性時間と、活発な音声が存在しない音声非活性時間とを有し、前記第１の音声符号化方式は第１のセットの利用可能な符号化モードを有し、前記第１のセットの符号化モードの各々は、関連する符号化用ビットレートを有し、前記第２の音声符号化方式は、音声非活性時間中に無音記述子フレームが生成される不連続送信符号化モードを含む第２のセットの利用可能な符号化モードを有する方法において、
前記第１の音声符号化方式に従って符号化を行うために入力音声信号を受信するステップと、
前記入力音声信号から得られた音声フレームを音声活動検出機能に印加して、前記音声フレームが、活発な音声を含む活性音声フレームであるか、活発な音声を含まない非活性音声フレームであるかの判定を行うステップと、
前記入力音声フレームが非活性音声フレームであると判定された場合、前記第２の音声符号化方式に従って、無音記述子フレームとして前記非活性音声フレームを符号化すべきかどうかの指定を行う所定の規定に従って決定処理を実行するステップと、
無音記述子フレームとして前記入力音声フレームを符号化することが決定された場合、前記第２の音声符号化方式に従って、無音記述子フレームと互換性のあるビット数を用いて前記入力音声フレームの符号化を可能にするのに十分に高い符号化用ビットレートを有する前記第１のセットの利用可能な符号化モードから選択した第１の所定の符号化モードを用いて、前記入力音声フレームを符号化するステップと、
無音記述子フレームとして前記入力音声フレームを符号化しないことが決定された場合、前記第１のセットの符号化モードから選択した第２の所定の符号化モードを用いて前記入力音声フレームを符号化するステップと、を具備する方法。
【請求項２】
前記第２の所定の符号化モードを利用して、前記第１の音声符号化方式に従って非活性音声フレームを符号化する請求項１に記載の方法。
【請求項３】
前記第１の音声符号化方式が、少なくとも４分の１レート符号化モードと８分の１レート符号化モードとを具備し、前記４分の１レート符号化モードは、前記第２の音声符号化方式で無音記述子フレームを表わすのに用いるビット数よりも大きい或る第１の所定ビット数を有する４分の１レート音声符号化フレームを生成するように構成され、前記８分の１レート符号化モードは、前記第２の音声符号化方式で無音記述子フレームを表わすのに用いるビット数未満の或る第２の所定ビット数を有する８分の１レート音声符号化フレームを生成するように構成され、無音記述子フレームとして前記入力音声フレームを符号化することが決定されたとき、前記第２の音声符号化方式に従って無音記述子フレームと互換性のあるビット数を用いて前記入力音声フレームを符号化し、４分の１レート音声符号化フレームとして該入力音声フレームを伝送する請求項１に記載の方法。
【請求項４】
前記第１の音声符号化方式が、第１のビット数を含むフルレート音声符号化フレームを生成するように構成されるフルレート符号化モードと、前記第１のビット数未満の第２のビット数を有するハーフレート音声符号化フレームを生成するように構成されるハーフレート符号化モードと、前記第２のビット数未満の第３のビット数を有する４分の１レート音声符号化フレームを生成するように構成される４分の１レート符号化モードと、前記第３のビット数未満の第４のビット数を有する８分の１レート音声符号化フレームを生成するように構成される８分の１レート符号化モードとを具備する方法であって、前記第３のビット数が、前記第２の音声符号化方式で無音記述子フレームを表わすのに用いるビット数よりも大きく、前記第４のビット数が前記第２の音声符号化方式に従って無音記述子フレームを表わすのに用いるビット数未満であり、無音記述子フレームとして前記入力音声フレームの符号化を行うことが決定された場合、前記第２の音声符号化方式の無音記述子フレームと互換性のあるビット数を用いて前記入力音声フレームを符号化し、４分の１レート音声符号化フレームとして該入力音声フレームを伝送する請求項１に記載の方法。
【請求項５】
無音記述子フレームとして前記入力音声フレームを符号化しないことが決定された場合、前記８分の１レート符号化モードを用いて前記入力音声フレームが符号化される請求項３または４に記載の方法。
【請求項６】
前記第１の音声符号化方式がＣＤＭＡレートセット２に準拠する請求項１に記載の方法。
【請求項７】
前記第１の音声符号化方式がＣＤＭＡレートセット１に準拠する請求項１に記載の方法。
【請求項８】
ＶＭＲ−ＷＢ音声符号化規格に準拠して前記第１の音声符号化方式が規定され、ＡＭＲ−ＷＢ音声符号化規格に準拠して前記第２の音声符号化方式が規定される請求項１に記載の方法。
【請求項９】
前記第１の所定ビット数が５４であり、前記第２の所定ビット数が２０である請求項３に記載の方法。
【請求項１０】
前記第１のビット数が２６６であり、前記第２のビット数が１２４であり、前記第３のビット数が５４であり、前記第４のビット数が２０である請求項４に記載の方法。
【請求項１１】
前記第１の所定ビット数が２.７キロビット／秒のビットレートに対応し、前記第２の所定ビット数が１.０キロビット／秒のビットレートに対応する請求項９に記載の方法。
【請求項１２】
前記第１のビット数が１３.３キロビット／秒のビットレートに対応し、前記第２のビット数が６.２キロビット／秒のビットレートに対応し、前記第３のビット数が２.７キロビット／秒のビットレートに対応し、前記第４のビット数が１.０キロビット／秒のビットレートに対応する請求項４に記載の方法。
【請求項１３】
無音記述子フレームとして前記入力音声フレームを符号化することが決定された場合、３５ビットを用いて前記入力音声フレームを符号化し、前記４分の１レート音声符号化フレームの１９ビットを未使用のまま残す請求項９または１０に記載の方法。
【請求項１４】
前記第２の音声符号化方式に従って無音記述子フレームを表わすのに用いるビット数が１.７５キロビット／秒に対応する請求項３または４に記載の方法。
【請求項１５】
音声活性時間に後続し、それによって一続きの非活性音声フレームが形成される連続する入力音声フレームが非活性音声フレームであることが決定された場合、前記一続きのうちの最初の非活性音声フレームと、前記一続きのうちの４番目の非活性音声フレームと、その後の８番目毎の非活性音声フレームを無音記述子フレームとして符号化することが前記所定の規定によって指定される請求項１に記載の方法。
【請求項１６】
音声活性時間に後続する連続する入力音声フレームが非活性音声フレームであり、それによって一続きの非活性音声フレームが形成されたことが決定された場合、ａ）前記一続きのうちの前記第１の非活性音声フレームを無音記述子フレームとして符号化すること、ｂ）前記一続きのうちの次の２つの非活性音声フレームを前記第２の所定の符号化モードを用いて符号化すること、ｃ）前記一続きのうちの前記第４の非活性音声フレームを無音記述子フレームとして符号化すること、ｄ）次の７つの非活性音声フレームを前記第２の所定の符号化モードを用いて符号化し、その後に続く非活性音声フレームを無音記述子フレームとして符号化すること、および、活性音声フレームが検出されるまでステップｄ）を繰り返すことが前記所定の規定によって指定される請求項１に記載の方法。
【請求項１７】
音声活性時間に後続する連続する入力音声フレームが非活性音声フレームであり、それによって一続きの非活性音声フレームが形成されたことが決定された場合、前記一続きのうちの最初の非活性音声フレームを無音記述子フレームとして符号化し、その後、前記一続きのうちの８番目毎の非活性音声フレームを無音記述子フレームとして符号化することが前記所定の規定によって指定される請求項１に記載の方法。
【請求項１８】
連続する入力音声フレームが非活性音声フレームであり、それによって一続きの非活性音声フレームが形成されたことが決定された場合、ａ）前記一続きのうちの前記第１の非活性音声フレームを無音記述子フレームとして符号化し、ｂ）前記一続きのうちの次のｋ個の非活性音声フレームを前記第２の所定の符号化モードを用いて符号化し、次いでその後に続く非活性音声フレームを無音記述子フレームとして符号化し、活性音声フレームが検出されるまでステップｂ）を繰り返すことが前記所定の規定によって指定される請求項１に記載の方法。
【請求項１９】
ｋが７に等しい請求項１８に記載の方法。
【請求項２０】
音声活性時間に後続する連続する入力音声フレームが非活性音声フレームであり、それによって一続きの非活性音声フレームが形成されたことが決定された場合、ノイズ特性が変わったとき、無音記述子フレームとして非活性音声フレームを符号化することが前記所定の規定によって指定される請求項１に記載の方法。
【請求項２１】
第１の音声符号化方式に従って音声信号を符号化し、それによって、第２の音声符号化方式に従って音声信号を復号化できるようにする装置であって、前記音声信号が、活発な音声が存在する音声活性時間と、活発な音声が存在しない音声非活性時間とを有し、前記第１の音声符号化方式は第１のセットの利用可能な符号化モードを有し、前記第１のセットの符号化モードの各々は、関連する符号化用ビットレートを有し、前記第２の音声符号化方式は、音声非活性時間中に無音記述子フレームが生成される不連続送信符号化モードを含む第２のセットの利用可能な符号化モードを有する装置において、
前記第１の音声符号化方式に従って符号化を行うために入力音声信号を受信する入力部と、
活性音声フレームとして、または、活発な音声を含まない非活性音声フレームとして、前記音声信号から得られた音声フレームを類別できるかどうかを判定する音声活動検出器と、
前記第２の音声符号化方式に従って、無音記述子フレームとして前記非活性音声フレームを符号化すべきかどうかの指定を行う所定の規定に従って、非活性なものとして類別された音声フレームに対して決定処理を実行するように作動可能な非活性音声フレーム処理ユニットと、
前記非活性フレーム処理ユニットによって実行される前記決定処理に応動する符号化用ユニットであり、無音記述子フレームとして前記入力音声フレームを符号化することが決定された場合、前記第１のセットの利用可能な符号化モードから選択される第１の所定の符号化モードであって、前記第２の音声符号化方式に従って無音記述子フレームと互換性のあるビット数を用いて前記入力音声フレームの符号化を可能にするのに十分に高い符号化用ビットレートを有する第１の所定の符号化モードを用いて前記入力音声フレームを符号化できるように作動可能な符号化用ユニットであって、無音記述子フレームとして前記入力音声フレームを符号化しないことが決定された場合、前記第１のセットの符号化モードから選択される第２の所定の符号化モードを用いて前記入力音声フレームを符号化できるように作動可能な符号化用ユニットと、を具備する装置。
【請求項２２】
前記第１の音声符号化方式が、少なくとも４分の１レート符号化モードと８分の１レート符号化モードとを具備し、前記４分の１レート符号化モードは、前記第２の音声符号化方式で無音記述子フレームを表わすのに用いるビット数よりも大きい或る第１の所定ビット数を有する４分の１レート音声符号化フレームを生成するように構成され、前記８分の１レート符号化モードは、前記第２の音声符号化方式で無音記述子フレームを表わすために用いるビット数未満の或る第２の所定ビット数を有する８分の１レート音声符号化フレームを生成するように構成され、無音記述子フレームとして前記入力音声フレームを符号化することが前記非活性音声フレーム処理ユニットによって決定された場合、前記符号化用ユニットが、前記第２の音声符号化方式に従って、無音記述子フレームと互換性のあるビット数を用いて前記入力音声フレームを４分の１レート音声符号化フレームの範囲内で符号化するように構成される請求項２１に記載の装置。
【請求項２３】
前記第１の音声符号化方式が、第１のビット数を含むフルレート音声符号化フレームを生成するように構成されるフルレート符号化モードと、前記第１のビット数未満の第２のビット数を有するハーフレート音声符号化フレームを生成するように構成されるハーフレート符号化モードと、前記第２のビット数未満の第３のビット数を有する４分の１レート音声符号化フレームを生成するように構成される４分の１レート符号化モードと、前記第３のビット数未満の第４のビット数を有する８分の１レート音声符号化フレームを生成するように構成される８分の１レート符号化モードとを具備する装置であって、前記第３のビット数が、前記第２の音声符号化方式で無音記述子フレームを表わすのに用いるビット数よりも大きく、前記第４のビット数が前記第２の音声符号化方式に従って無音記述子フレームを表わすのに用いるビット数未満であり、無音記述子フレームとして前記入力音声フレームを符号化することが前記非活性音声フレーム処理ユニットによって決定された場合、前記符号化用ユニットが、前記第２の音声符号化方式に従って無音記述子フレームと互換性のあるビット数を用いて４分の１レート音声符号化フレームの範囲内で前記入力音声フレームの符号化を行うように構成される請求項２１に記載の装置。
【請求項２４】
無音記述子フレームとして前記入力音声フレームを符号化しないことが前記非活性音声フレーム処理ユニットによって決定された場合、前記符号化用ユニットが前記８分の１レート符号化モードを用いて前記入力音声フレームを符号化するように構成される請求項２２または２３に記載の装置。
【請求項２５】
ＣＤＭＡレートセット２に準拠して作動するように構成される請求項２１に記載の装置。
【請求項２６】
ＣＤＭＡレートセット１に準拠して作動するように構成される請求項２１に記載の装置。
【請求項２７】
ＶＭＲ−ＷＢ音声符号化規格に準拠して前記第１の音声符号化方式が規定された装置であって、前記第２の音声符号化方式との相互運用を可能にするためにＡＭＲ−ＷＢ音声符号化規格に準拠して規定された請求項２１に記載の装置。
【請求項２８】
前記第１の所定ビット数が５４であり、前記第２の所定ビット数が２０である請求項２２に記載の装置。
【請求項２９】
前記第１のビット数が２６６であり、前記第２のビット数が１２４であり、前記第３のビット数が５４であり、前記第４のビット数が２０である請求項２３に記載の装置。
【請求項３０】
前記第１の所定ビット数が２.７キロビット／秒のビットレートに対応し、前記第２の所定ビット数が１.０キロビット／秒のビットレートに対応する請求項２２に記載の装置。
【請求項３１】
前記第１のビット数が１３.３キロビット／秒のビットレートに対応し、前記第２のビット数が６.２キロビット／秒のビットレートに対応し、前記第３のビット数が２.７キロビット／秒のビットレートに対応し、前記第４のビット数が１.０キロビット／秒のビットレートに対応する請求項２３に記載の装置。
【請求項３２】
無音記述子フレームとして前記入力音声フレームを符号化することが前記非活性音声フレーム処理ユニットによって決定された場合、前記符号化用ユニットが、３５ビットを用いて前記入力音声フレームを符号化し、前記４分の１レート音声符号化フレームの１９ビットを未使用のまま残すように構成される請求項２８または２９に記載の装置。
【請求項３３】
前記第２の音声符号化方式に従って無音記述子フレームを表わすのに用いるビット数が１.７５キロビット／秒に対応する請求項２２または２３に記載の装置。
【請求項３４】
音声活性時間に後続し、それによって一続きの非活性音声フレームが形成される連続する入力音声フレームが非活性音声フレームであることを前記音声活動検出器が決定した場合、前記一続きのうちの最初の非活性音声フレームと、前記一続きのうちの４番目の非活性音声フレームと、その後の８番目毎の非活性音声フレームを無音記述子フレームとして符号化することを前記非活性音声フレーム処理ユニットが前記所定の規定に従って決定する請求項２１に記載の装置。
【請求項３５】
音声活性時間に後続する連続する入力音声フレームが非活性音声フレームであり、それによって一続きの非活性音声フレームが形成されたことを前記音声活動検出器が決定した場合、ａ）前記一続きのうちの前記第１の非活性音声フレームを無音記述子フレームとして符号化すること、ｂ）前記一続きのうちの次の２つの非活性音声フレームを前記第２の所定の符号化モードを用いて符号化すること、ｃ）前記一続きのうちの前記第４の非活性音声フレームを無音記述子フレームとして符号化すること、ｄ）次の７つの非活性音声フレームを前記第２の所定の符号化モードを用いて符号化し、その後に続く非活性音声フレームを無音記述子フレームとして符号化すること、および、活性音声フレームが検出されるまでステップｄ）を繰り返すことを前記非活性音声フレーム処理ユニットが前記所定の規定に従って指定する請求項２１に記載の装置。
【請求項３６】
音声活性時間に後続する連続する入力音声フレームが非活性音声フレームであり、それによって一続きの非活性音声フレームが形成されたことを前記音声活動検出器が決定した場合、前記一続きのうちの最初の非活性音声フレームを無音記述子フレームとして符号化し、その後、前記一続きのうちの８番目毎の非活性音声フレームを無音記述子フレームとして符号化することを前記非活性音声フレーム処理ユニットが前記所定の規定に従って指定する請求項２１に記載の装置。
【請求項３７】
連続する入力音声フレームが非活性音声フレームであり、それによって、一続きの非活性音声フレームが形成されたことを音声活動検出器が決定した場合、ａ）前記一続きのうちの前記第１の非活性音声フレームを無音記述子フレームとして符号化し、ｂ）前記一続きのうちの次のｋ個の非活性音声フレームを前記第２の所定の符号化モードを用いて符号化し、次いでその後に続く非活性音声フレームを無音記述子フレームとして符号化し、活性音声フレームが検出されるまでステップｂ）を繰り返すことを前記非活性音声フレーム処理ユニットが前記所定の規定に従って指定する請求項２１に記載の装置。
【請求項３８】
ｋが７に等しくなるようにｋを設定するように構成される請求項３７に記載の装置。
【請求項３９】
音声活性時間に後続する連続する入力音声フレームが非活性音声フレームであり、それによって一続きの非活性音声フレームが形成されたことを前記音声活動検出器が決定した場合、ノイズ特性が変わったとき、無音記述子フレームとして非活性音声フレームを符号化することを前記非活性音声フレーム処理ユニットが前記所定の規定に従って指定する請求項２１に記載の装置。